(57)【特許請求の範囲】
【請求項１】
体内に挿入する細長可撓管の主管内に操作ワイヤを進退自在に挿通し、該操作ワイヤの先端に、前記主管からの突き出し状態において処置用ループを自力形成し、かつ、前記主管へ引き込み収納可能にした処置部を備えた内視鏡用処置具において、
前記処置部は、芯ストランド線に複数本の側ストランド線を一体的に撚り合わせたワイヤロープによって形成され、前記複数本の側ストランド線は、前記ワイヤロープの外周を規定する第１の複数本の側ストランド線と、前記ワイヤロープの外周に沿って長手方向に連続するとともに、前記外周から外方向に突出するスパイラル凸状をなす第２の側ストランド線とから構成されることを特徴とする内視鏡用処置具。
【請求項２】
前記第１の複数本の側ストランド線は、前記ワイヤロープの断面において略円形状の外周を規定することを特徴とする請求項１記載の内視鏡用処置具。
【請求項３】
前記第１の複数本の側ストランド線は細い外径を有するとともに、前記第２の側ストランド線は太い外径を有することを特徴とする請求項１または２記載の内視鏡用処置具。
【請求項４】
前記第２の側ストランド線は前記処置用ループの前半部分にのみ設けられていることを特徴とする請求項３記載の内視鏡用処置具。
【請求項５】
体内に挿入する細長可撓管の主管内に操作ワイヤを進退自在に挿通し、該操作ワイヤの先端に、前記主管からの突き出し状態において処置用ループを自力形成し、かつ、前記主管へ引き込み収納可能にした処置部を備えた内視鏡用処置具において、
前記処置部は、芯ストランド線に複数本の側ストランド線を巻回したワイヤロープからなり、前記複数本の側ストランド線は、前記ワイヤロープの外周を規定する第１の複数本の側ストランド線と、前記ワイヤロープの長手方向に連続するとともに、前記外周から外方向に突出する円弧形状の波形部をもつ第２の側ストランド線とから構成されることを特徴とする内視鏡用処置具。
【請求項６】
前記第１の複数本の側ストランド線は、前記ワイヤロープの断面において略円形状の外周を規定することを特徴とする請求項５記載の内視鏡用処置具。
【請求項７】
前記波形部は、前記処置用ループの内側のみに突設されていることを特徴とする請求項５または６記載の内視鏡用処置具。
【請求項８】
体内に挿入する細長可撓管の主管内に操作ワイヤを進退自在に挿通し、該操作ワイヤの先端に、前記主管からの突き出し状態において処置用ループを自力形成し、かつ、前記主管へ引き込み収納可能にした処置部を備えた内視鏡用処置具において、
前記処置部は、複数本の異なる外径のストランド線を一体的に撚りあわせたワイヤロープによって形成され、前記複数本の異なる外径のストランド線は、前記ワイヤロープの外周を規定する外径の小さい複数本のストランド線と、前記ワイヤロープの前記外周に沿って長手方向に連続するとともに、前記外周から外方向に突出するスパイラル凸状をなす外径の大きい複数本のストランド線とから構成されることを特徴とする内視鏡用処置具。
【請求項９】
前記第１の複数本の側ストランド線は、前記ワイヤロープの断面において略円形状の外周を規定することを特徴とする請求項８記載の内視鏡用処置具。
【請求項１０】
前記ワイヤロープを構成する少なくとも１つのストランド線に縮径伸線加工を施して、エッジ状端部を形成したことを特徴する請求項１から４及び８，９記載の内視鏡用処置具。
【発明の詳細な説明】
【０００１】
【発明の属する技術分野】
この発明は、体内に挿入して先端の処置部でポリープを捕捉して切除したり、ポリープを捕捉したまま体内留置させたりするのに使用する内視鏡用処置具に関するものである。
【０００２】
【従来の技術】
体内のポリープを捕捉して医療処置する内視鏡用処置具は、体内に挿入する可撓性細長チューブの主管内に操作ワイヤを挿通すると共に、その操作ワイヤの先端に「該主管の先端から突き出して処置用ループを形成し、かつ、該主管内に引き込み自在にした処置部」を備えた形態から成り、その処置部のループによってポリープ等の生体組織を捕捉して緊縛し、しかるのち該主管内へ引き込み操作することによって捕捉ポリープを切除治療するようになっている。
【０００３】
しかし、捕捉すべきポリープは「接触角が小なる体液で包被された高粘性湿潤状態の軟質弾性体」であることから、処置用ループの掛け止め捕捉がしづらいので、この不具合を解消するものとして「処置部のロープ材に係止針を埋め込んで、ループの内側に針先を突設させてポリープに突き差し係止する構造（特開２０００−２７１１４６）」「処置部のロープ材の素線１本を切断して、その切断端をループの内側に突出させてポリープの捕捉針として機能させる構造（特開２０００−１０７１９８）」の公知例がある。
【０００４】
一方、実公平６−３５４９号公報には、処置用ループの線材に「滑り止めチップ」を多数個後付け固着して、その滑り止めチップの先端を処置用ループの内側に突き出す係止突起にして、ポリープの捕捉性を向上させた構造が示されている。
【０００５】
【発明が解決しようとする課題】
以上の公知例の捕捉性向上構造のいずれも、剛性に富む針状物・突起物をループ内側に突設する構造のため、主管内への引き込み収納のとき、その針状物・突起物が重合して一本化する処置部の部材に干渉したり主管の内周に接触するので、主管内への引き込み抵抗が大にして操作がしづらい。そして、前記の係止針・滑り止めチップを処置部のロープ材等に「突出方向を正確に定めて多数個固着設定する」形成作業は煩雑にして手数がかかり加工性が劣る。
【０００６】
そして、前記の素線切断形態のものは極めて細径のワイヤロープの素線の１本を切断して正確な方向に突設セットする形成作業が極めて煩雑にして加工性が悪く、その上ワイヤロープの強度低下による破断や、チューブ内収納によって「素線の切断端曲げの係止針」が立設姿勢を変形して係止性を低下したり、接合した相手側ロープ材に引っ掛って自力弾性力による処置用ループの拡大変形が不能・不備になる難点がある。
【０００７】
この発明の目的は、以上の従来技術の難点を解消する内視鏡用処置具を提供することにある。
【０００８】
【課題を解決するための手段】
第１の発明に係る内視鏡用処置具によれば、体内に挿入する細長可撓管の主管内に操作ワイヤを進退自在に挿通し、該操作ワイヤの先端に、前記主管からの突き出し状態において処置用ループを自力形成し、かつ、前記主管へ引き込み収納可能にした処置部を備えた内視鏡用処置具において、前記処置部は、芯ストランド線に複数本の側ストランド線を一体的に撚り合わせたワイヤロープによって形成され、前記複数本の側ストランド線は、前記ワイヤロープの外周を規定する第１の複数本の側ストランド線と、前記ワイヤロープの外周に沿って長手方向に連続するとともに、前記外周から外方向に突出するスパイラル凸状をなす第２の側ストランド線とから構成される。
【０００９】
また、第２の発明に係る内視鏡用処置具によれば、体内に挿入する細長可撓管の主管内に操作ワイヤを進退自在に挿通し、該操作ワイヤの先端に、前記主管からの突き出し状態において処置用ループを自力形成し、かつ、前記主管へ引き込み収納可能にした処置部を備えた内視鏡用処置具において、前記処置部は、芯ストランド線に複数本の側ストランド線を巻回したワイヤロープからなり、前記複数本の側ストランド線は、前記ワイヤロープの外周を規定する第１の複数本の側ストランド線と、前記ワイヤロープの長手方向に連続するとともに、前記外周から外方向に突出する円弧形状の波形部をもつ第２の側ストランド線とから構成される。
【００１０】
また、第３の発明に係る内視鏡用処置具によれば、体内に挿入する細長可撓管の主管内に操作ワイヤを進退自在に挿通し、該操作ワイヤの先端に、前記主管からの突き出し状態において処置用ループを自力形成し、かつ、前記主管へ引き込み収納可能にした処置部を備えた内視鏡用処置具において、前記処置部は、複数本の異なる外径のストランド線を一体的に撚りあわせたワイヤロープによって形成され、前記複数本の異なる外径のストランド線は、前記ワイヤロープの外周を規定する外径の小さい複数本のストランド線と、前記ワイヤロープの前記外周に沿って長手方向に連続するとともに、前記外周から外方向に突出するスパイラル凸状をなす外径の大きい複数本のストランド線とから構成される。
【００１１】
即ち、本発明の内視鏡用処置具は、処置用ループを構成するワイヤロープの外周に設けた前記の「スパイラル凸条・波形部」を高粘性湿潤軟質の生体組織を捕捉・緊縛するための「楔部・喰い込みツール部・係着係止部」として機能させる思想から成るものにして、そのスパイラル凸条はワイヤロープの側ストランド線の一部（１本〜３本）を太径にしたり欠落させる手段等によって形成され、その波形部は、側ストランド線または芯ストランド線の一部分をワイヤロープの外周へ引き出し状態にして隆起させる手段等によって形成される。
【００１２】
以上の構成から成る本発明の内視鏡用処置具の処置用ループは、ポリープ等の生体組織に掛け止めして該ループを小さく絞りながら緊縛するので、その処置用ループのワイヤロープの内側と生体組織の表面が相対滑りして摩擦接触する相対関係となり、該生体組織の表面ワンポイントは該ワイヤロープに存在する「スパイラル凸条・波形部」が順次動的変位しながら接触して絞り緊縛するプロセスとなる。
【００１３】
従って、スパイラル凸条・波形部を有する処置用ループは、その凸条・波形の頂点を生体組織に対向させるポイントにおいて楔作用して極めて容易に生体組織に喰い込んで相対移動しながら表面の粘性物を除去しつつ生体組織へ有効に喰む「喰い込みツール部」「係着係止部」として機能し、処置用ループによる生体組織の効果的な捕捉・緊縛が可能になる。
そして、その処置部のワイヤロープの主管への引き込み収納時には、外周に存在する「スパイラル凸条・波形部」が主管内周や折り重ねたワイヤロープ外周に干渉するものの、その凸部頂点は円弧形状にして干渉抵抗が小さいので、主管への引き込み抵抗が特に増大することなく円滑な引き込み収納ができると共に、主管やワイヤロープを損傷するおそれは無く、処置部のループ形成と引き込み収納が円滑に反復持続できる。
【００１４】
【発明の実施の形態】
まず、第１の発明の内視鏡用処置具の一実施例を図１Ａ〜図１Ｄを参照して説明する。即ち、可撓性細長管体の主管２に操作ワイヤ４を進退自在に収納し、その操作ワイヤ４の先端に「主管２の先端からの突き出し状態において自己弾性力によって処置用ループ５（以下、単にループ５という）」を形成すると共に、操作ワイヤ４の引き操作によってループ５を弾性解消して主管２へ引き込み収納可能にした処置部６を備えた内視鏡用処置具１において、この実施例の処置部６は以下の構成を有している。
【００１５】
詳しくは（図１Ｂ、図１Ｃ参照）、処置部６は丸線の芯ストランド線１０に丸線１０本の側ストランド線１１を巻回したワイヤロープＷから成り、その１０本の側ストランド線１１は芯ストランド線１０の一直径上の２本の太径側ストランド線１１Ａと、その太径ストランド線１１Ａ間に配設した４本づつの細径側ストランド線１１Ｂの組合せ混成にして、太径側ストランド線１１ＡがワイヤロープＷの外周に現われて連続するスパイラル凸条７を形成する構造を有し、このワイヤロープＷによって処置部６の全形が形成されている。なお、この実施例のワイヤロープＷは、芯ストランド線１０の直径＝０．２２粍、側ストランド線１１Ａの直径＝０．１４粍、側ストランド線１１Ｂの直径＝０．０７粍、のサイズである。
【００１６】
以上の構造の処置部６を備えた内視鏡用処置部１は前記の作用があり、高粘性表面にして軟質弾性体のポリープ等の生体組織２０がループ５によって極めて効果的に捕捉緊縛できる。即ち（図１Ｄ参照）、ループ５のスパイラル凸条７はループ５の内外周に巻回転位して存在して図示の多様変化を反復して生体組織２０の表面Ｆに対向して接触し、そのループ５を絞り縮形して表面Ｆに対してワイヤロープＷを相対滑りさせながら生体組織２０を捕捉緊締するプロセスとなる。
【００１７】
従って、スパイラル凸条７の頂点を生体組織２０の表面Ｆに臨ませる至近ポイントＰ１のワイヤロープＷが小なる喰い込み角θによって楔作用して表面Ｆに最先に喰い込んで係着係止する。そして、表面Ｆとスパイラル凸条７との相対姿勢が異なる他のポイントの表面Ｆへの喰い係止を支援して容易に離脱しないように生体組織２０を捕捉係止する。
【００１８】
そして、その捕捉に続く緊縛過程においては、表面ＦのワンポイントＰにおいて図示矢印のごとく「表面Ｆに対してスパイラル凸条７が相対滑り転位して生体組織２０へ順次喰い込む」緊締形態となり、前記の「喰い込みツール部」「係着係止部」の機能を奏してループ５による生体組織２０の緊締切除が的確にして容易にできる。
【００１９】
そして、ループ５の主管２への引き込み収納時には、スパイラル凸条７の円弧形の頂部がワイヤロープＷに干渉するのみでスパイラル凸条７の相互干渉は生じないので（２つ折りして重なるワイヤロープＷのスパイラル凸条７は、同一の傾斜方向となるので相互干渉が回避できる）主管２への引き込み収納が円滑になる。
【００２０】
続いて、図２Ａ〜２Ｃ及び図３Ａ〜３Ｃを参照して第１発明の内視鏡用処置具１の他の実施例を説明する。即ち、ループ５が芯ストランド線１０に複数本の側ストランド線１１を巻回したワイヤロープＷから成るものにおいて、図２Ａ〜２Ｃに示す実施例のものは側ストランド線１１の１本（図示点線）を欠落して巻回し、この欠落による空所がワイヤロープＷの外側に現われて連続するスパイラル凹条８を形成し、このスパイラル凹条８つきワイヤロープＷによって処置部６が構成されている。
【００２１】
この図２Ａ〜２Ｃに示す実施例のものは（図２Ｃ参照）、図１に示す実施例のものと同様にワイヤロープＷの外周が生体組織２０の表面Ｆと相対滑りしながらスパイラル凹条８と表面Ｆの相対姿勢を順次変化させて生体組織２０を捕捉緊縛する形態となるので、スパイラル凹条８が表面Ｆに対して至近となる図示Ｐ１ポジションにおいて、ワイヤロープＷが小なる喰い込み角θによって楔作用すると共に、スパイラル凹条８の両側の側ストランド線１１Ｃを「喰い込みツール部」として機能させながら、生体組織２０をスパイラル凹条８に受け入れて係着係止する。そして、そのスパイラル凹条８を表面Ｆの粘性物の排水溝１２として機能させるので、前記した特有の作用を奏して生体組織２０の捕捉緊締が極めて円滑にして的確にできる。
【００２２】
一方、図３Ａ〜３Ｃに示すものは図１Ａ〜１Ｄに示す実施例と同様なスパイラル凸条７を設けた構造において、複数の側ストランド線１１のうちの１本が三角形断面形状の三角側ストランド線１１Ｄに成っており、芯ストランド線１０に巻回した状態において三角側ストランド線１１Ｄの上半部分が他の側ストランド線１１が成すワイヤロープＷの外周より突き出してスパイラル凸条７を形成する構造から成っている。
【００２３】
この図３Ａ〜３Ｃに示す実施例のものはスパイラル凸条７がナイフエッヂ形状にして、かつ、その両側に大なる空隙の「表皮Ｆの粘性物の排出溝１２」を存在させるので、図１Ａ〜１Ｄに示す実施例のものより、喰い込みツール機能・係着係止機能と粘性物の除去作用が向上して生体組織２０の捕捉緊締性能が一段と向上する。
【００２４】
続いて、第２の発明の内視鏡用処置具１Ｂの一実施例について図４Ａ〜４Ｄを参照して説明する。即ち、処置部６が芯ストランド線１０に複数本の側ストランド線１１を巻回したワイヤロープＷから成るものにおいて、この実施例のワイヤロープ６は６本の側ストランド線１１のうち２本を欠落して、この欠落部分を幅広のスパイラル凹条８に成すと共に、そのスパイラル凹条８のスペースを活用して１本の側ストランド線１１Ｅに円弧形状の波形部９を連設してループ５の内側に所要間隔で突設させた構造を有し、この波形部９が生体組織２０を捕捉緊締するときの「喰い込みツール部」「係着係止ツール部」として機能するようになっている。
【００２５】
以上の図４Ａ〜４Ｄに示す実施例のものは（図４Ｄ参照）、生体組織２０の表面Ｆと対向する波形部９の頂点がまず接合して生体組織２０を捕捉して、緊締と共に喰い込んで係着係止するので、その捕捉緊締が的確にして容易にできる。そして、主管２への引き込み収納は、波形部９を相互干渉しない形態（折りたたんで重ねたワイヤロープＷの波形部９を相手側のストレート外周に位置させておく）の収納ができるので、その収納は円滑にしてワイヤロープＷ及び主管２の損傷をもたらすことがない。そして、側ストランド線１１Ｅのみによって波形部９が形成できるので、従来構造の係止針の後付け構造のものより処置部６の形成が容易になる。なお、この波形部９をループ５の内側に設けるものは、図示しないがループ５の前半部分のみに波形部９を設ける形態にすることがある。
【００２６】
続いて、図５Ａ〜５Ｃ及び図６Ａ〜６Ｃを参照して本発明の内視鏡用処置具の他の実施態様を説明する。まず、図５Ａ〜５Ｃに示すものは第１発明の他の実施態様にして、図３Ａ〜３Ｃに示す実施例における側ストランド線１１Ｄが「長方形断面線材を線材軸心を中心として捻回したツイストドリル形態」から成っており、この側ストランド線１１Ｄによってスパイラル凸条７を形成している。この図５Ａ〜５Ｃに示す実施例のものは該ツイストドリル形態に存在するスパイラル条の溝が前記の「粘性物の排出溝」として極めて有効に機能するので、排出溝作用に基づく前記の特有作用が一段と顕著になる。そして、側ストランド線１１Ｄの芯ストランド線１０への巻回がし易くなる。
【００２７】
一方、図６Ａ〜６Ｃに示すものは図１Ａ〜１Ｄ及び図２Ａ〜図２Ｃに示す実施例と同様なスパイラル凸条７、スパイラル凹条８を設けたものにおいて、図６Ａ、６Ｂのものは太径側ストランド線１１Ａを１本または３本にして、ワイヤロープＷの外周に現れるスパイラル凸条７を単条または３条にした態様から成っている。そして、図６Ｃに示すものは図２Ａ〜２Ｃに示す実施例における「側ストランド線１１の欠落によるスパイラル凹条８」を有するワイヤロープＷにおいて、隣接２本の側ストランド線１１を欠落させて「幅広溝のスパイラル凹条８」に形成した形態を有している。この図６Ｃのものは図２Ａ〜２Ｃに示す実施例におけるスパイラル凹条８の作用が一段と顕著になる。
【００２８】
続いて、図７Ａ〜７Ｃを参照して第２の発明に係る内視鏡用処置具の他の実施態様を説明する。即ち、図７Ａ〜７Ｃに示す実施例に示すものは図４Ａ〜４Ｄに示す実施例と同様な波形部９を設けたものにおいて、６本の側ストランド線１１のうちの隣接する２本を欠落させて幅広のスパイラル凹条８を設け、このスパイラル凹条８のスペースを利用して芯線１０を引き伸ばしてワイヤロープ外周へ隆起させた波形部９を有している。この図７Ａ〜７Ｃに示す実施例のものも幅広溝のスパイラル凹条８が排出キャパシティーの大なる排出溝１２として有効に機能すると共に、波形部９群をループ５の内側のみに突設させて、前記の捕捉・緊締性と主管２への収納性のさらなる向上ができる。
【００２９】
一方、図８Ａ〜８Ｃに示すものは側ストランド線１１の欠落によってスパイラル凹条８を外周に備えたワイヤロープＷによって処置用ループ５を形成する第１発明の応用例にして、この実施例の処置部６のループ５の前半部分は図２Ａ〜２Ｃ及び図６Ｃに示す側ストランド線１１の一部欠落によるスパイラル凹条８つきワイヤロープＷＡにしてループ５の後半部分のワイヤロープＷＢは側ストランド線１１を欠落しないスパイラル凹条８不存在の剛性ワイヤロープ（ＷＡより高剛性）にして、このＷＡ・ＷＢによって継目なし単一ワイヤロープＷのループ５から成っている。
【００３０】
この図８Ａのループ５から成る処置部６は（図８Ｂ参照）、軟質のＷＡと剛性のＷＢを境界点で腰折れ形態にして、ポリープ等の凸条の生体組織２０を捕捉できるのでループ５による捕捉作業が一段とし易くなる。なお、この「ループ５の前半部分が柔形態・後半部分が剛形態」の構造は、その前半部分に波形部９を設けた形態（図８Ｃ）にしても良く、或は「後半部分のワイヤロープＷに他の線材を巻き付けた２層側ストランド線形態」にして、単層側ストランド線形態の前半部分より剛性にする形態等の柔・剛手段であっても良い。
【００３１】
続いて、図９及び図１０Ａ〜１０Ｃを参照して、本発明に係る内視鏡用処置具の他の実施形態を説明する。また、図９に示す実施形態は、２本の太径ストランド線２１と、同じく２本の細径ストランド線２２を撚回したワイヤロープＷの構成にして、太径ストランド直径＝０．２５粍、細径ストランド直径＝０．１２５粍、ワイヤロープＷの最大径０．５粍のサイズである。図１の場合と同様に、「表面Ｆに対して、スパイラル凸条の太径ストランド線２１が相対滑り転位して生体組織２０へ順次喰い込む」緊縛形態になるとともに、主に細径ストランド線２２部が生体組織表面の粘性物の排水溝として機能し、「喰い込みツール部」、「係着係止部」として機能し、処置用ループによる生体組織の効果的な捕捉・緊縛が可能となる。
【００３２】
一方、図１０に示すものは、図１、図２、図９に示す各実施例において、ワイヤロープにダイスを用いて縮径伸線加工を施し、各ストランド線の一部にエッジ状端面を連続的に、ワイヤロープ軸線方向に形成したことを特徴とする構造体である。
【００３３】
具体的には、図１に示す実施例においては、ワイヤロープの最大径＝０．５粍に対して、ダイス内径＝φ０．４５粍を用いて、ダイス内へワイヤロープを通過させて、縮径伸線加工する。かかる場合において、スウェージング加工後、ダイス引き加工により、縮径伸線加工を施してもよい。これにより、連続的エッジ状端面を有するスパイラル状ストランド線２１Ａ，１１Ｅ，１１Ｆが、生体組織への喰い込み時、かかるエッジ状端面の構造により、より強固に生体組織を捕捉、緊縛することが可能となる。
【００３４】
なお、本発明の内視鏡用処置具は前記の実施例に限定されず、「ポリープを一時的に結縛する留置スネアのループ構造」「内腔内の結石・切除後のポリープ等の取り出し用の回収バスケットや砕石バスケットのロープワイヤ」にも応用するものである。
【００３５】
以上説明したように、本発明の内視鏡用処置具は、ポリープ等の病変部についての生体組織の捕捉・緊縛が的確にして極めて容易に行える優れた性能を有すると共に、処置用ループの主管への収納性も良く、その上形成加工を容易にして低コストで提供可能にして、当該治療性のさらなる向上と便宜向上を図る効果がある。
【００３６】
【発明の効果】
以上詳述したように、本発明によれば、体内に挿入する細長可撓管の主管内に操作ワイヤを進退自在に挿通し、該操作ワイヤの先端に、該主管からの突き出し状態において処置用ループを自力形成し、かつ、前記主管へ引き込み収納可能にした処置部を備えた内視鏡用処置具において、前記処置部が、芯ストランド線に複数本の側ストランド線を一体的に撚り合せたワイヤロープによって形成され、かつ、該ワイヤロープの外周に沿って連続するスパイラル凸条またはスパイラル凹条を前記側ストランド線によって形成した構造を有する。
【００３７】
また、本発明によれば、体内に挿入する細長可撓管の主管内に操作ワイヤを進退自在に挿通し、該操作ワイヤの先端に、該主管からの突き出し状態において処置用ループを自力形成し、かつ、該主管へ引き込み収納可能にした処置部を備えた内視鏡用処置具において、該処置部が、芯ストランド線に側ストランド線を巻回したワイヤロープから成ると共に、該芯ストランド線または該側ストランド線によって形成して該ワイヤロープの外周に突出する円弧形の波形部を該ワイヤロープの長手方向に連設した構造を有する。
【００３８】
また、本発明によれば、体内に挿入する細長可撓管の主管内に操作ワイヤを進退自在に挿通し、該操作ワイヤの先端に、該主管からの突き出し状態において、処置用ループを自力形成し、かつ、前記主管へ引き込み収納可能にした処置部を備えた内視鏡用処置具において、前記処置部が、少なくとも２本の異なる外径のストランド線を一体的に撚り合せたワイヤロープによって形成され、かつ、該ワイヤロープの外周に沿って連続するスパイラル凸条、凹条を、前記ストランド線によって形成した構造を有する。
【００３９】
このような構成により、ポリープ等の病変部についての生体組織の捕捉・緊縛が的確にして極めて容易に行える優れた性能を有すると共に、処置用ループの主管への収納性も良く、その上形成加工を容易にして低コストで提供可能にして、当該治療性のさらなる向上と便宜向上を図ることができる。
【図面の簡単な説明】
【図１】  図１Ａ〜１Ｄは、第１の発明の一実施例に係る内視鏡用処置具を示し、図１Ａは処置部の正面図、図１Ｂは処置用ループのワイヤロープの断面図、図１Ｃは処置用ループのワイヤロープの正面図、図１Ｄは処置用ループの作用説明図である。
【図２】  図２Ａ〜２Ｃは、第１の発明の他の実施例に係る内視鏡用処置具を示し、図２Ａは処置用ループのワイヤロープの断面図、図２Ｂは処置用ループのワイヤロープの正面図、図２Ｃは処置用ループの作用説明図である。
【図３】  図３Ａ〜３Ｃは、第１の発明の他の実施例に係る内視鏡用処置具を示し、図３Ａは処置用ループのワイヤロープの断面図、図３Ｂは処置用ループのワイヤロープの正面図、図３Ｃは処置用ループの作用説明図である。
【図４】  図４Ａ〜４Ｄは、第２の発明の一実施例に係る内視鏡用処置具を示し、図４Ａは処置部正面図、図４Ｂは処置用ループのワイヤロープの断面図、図４Ｃは処置用ループのワイヤロープの正面図、図４Ｄは処置用ループの作用説明図である。
【図５】  図５Ａ〜５Ｃは、第１の発明の他の実施例に係る内視鏡用処置具の処置部のワイヤロープを示し、図５Ａはその正面図、図５Ｂはその断面図、図５Ｃはその側ストランド線のストレート状態の正面図である。
【図６】  図６Ａ〜６Ｃは、本発明の内視鏡用処置具の処置部のワイヤロープの他の形態を示し、図６Ａ〜６Ｃともその断面図である。
【図７】  図７Ａ〜７Ｃは、第２発明の内視鏡用処置具の他の実施例に係るワイヤロープを示し、図７Ａはその正面図、図７Ｂはその断面図、図７Ｃはその作用説明図である。
【図８】  図８Ａ〜８Ｃは、本発明の内視鏡用処置具の他の形態を示し、図８Ａ、図８Ｃはその処置部の正面図、図８Ｂは図８Ａの用法説明図である。
【図９】  図９は、本発明の内視鏡用処置具の他の形態を示し、処置用ループのワイヤロープの正面図である。
【図１０】  図１０Ａ〜１０Ｃは、本発明の内視鏡用処置具の他の形態を示し、図１０Ａは図９に示す実施例での本発明のワイヤロープ断面図、図１０Ｂは図１に示す実施例での本発明のワイヤロープ断面図、図１０Ｃは図２に示す実施例での本発明のワイヤロープ断面図である。
【図１Ａ】
0004051292.tif 000002
【図１Ｂ】
0004051292.tif 000003
【図１Ｃ】
0004051292.tif 000004
【図１Ｄ】
0004051292.tif 000005
【図２Ａ】
0004051292.tif 000006
【図２Ｂ】
0004051292.tif 000007
【図２Ｃ】
0004051292.tif 000008
【図３Ａ】
0004051292.tif 000009
【図３Ｂ】
0004051292.tif 000010
【図３Ｃ】
0004051292.tif 000011
【図４Ａ】
0004051292.tif 000012
【図４Ｂ】
0004051292.tif 000013
【図４Ｃ】
0004051292.tif 000014
【図４Ｄ】
0004051292.tif 000015
【図５Ａ】
0004051292.tif 000016
【図５Ｂ】
0004051292.tif 000017
【図５Ｃ】
0004051292.tif 000018
【図６Ａ】
0004051292.tif 000019
【図６Ｂ】
0004051292.tif 000020
【図６Ｃ】
0004051292.tif 000021
【図７Ａ】
0004051292.tif 000022
【図７Ｂ】
0004051292.tif 000023
【図７Ｃ】
0004051292.tif 000024
【図８Ａ】
0004051292.tif 000025
【図８Ｂ】
0004051292.tif 000026
【図８Ｃ】
0004051292.tif 000027
【図９】
0004051292.tif 000028
【図１０Ａ】
0004051292.tif 000029
【図１０Ｂ】
0004051292.tif 000030
【図１０Ｃ】
0004051292.tif 000031